(57)【特許請求の範囲】
【請求項１】
開口部を有し平坦に折り畳まれた包装袋と、
該包装袋に折り畳んだ状態で収容されており、長手方向の中央に弱め線があり、商品を入れて保持する保持穴を有する上部板と、該上部板の長手方向の両端に弱め線を形成し連接された側部板と、該側部板の長手方向の両端に弱め線を形成し連接されており、先端部同士を折り曲げ可能に接続する接続手段を有している底部板とを備える、前記包装袋の内部で組み立てたとき、外周部の長さが前記包装袋の拡張したときの内周部の長さと同等の長さとなる包装用キャリアとを備え、
前記包装袋が底部にガゼット部を有するガゼット袋であり、前記包装用キャリアが、前記側部板の幅方向の先端に弱め線を形成し連接された差込板を有し、前記包装袋の前記ガゼット部を挟むシートとの間の隙間に、前記各底部板、各側部板及び前記各差込板を差し込んで前記包装袋に収容されており、前記包装袋の内部で組み立てたとき、拡張した前記包装袋に形成された前記ガゼット部の三角形となった部分に各差込板の先部角部が挟まるようにしてある
折り畳み包装体。
【請求項２】
開口部を有し平坦に折り畳まれた包装袋と、
該包装袋に折り畳んだ状態で収容されており、長手方向の中央に弱め線があり、商品を入れて保持する保持穴を有する上部板と、該上部板の長手方向の両端に弱め線を形成し連接された側部板と、該側部板の長手方向の両端に弱め線を形成し連接され、先端部同士が折り曲げ可能に連接されている底部板とを備える、前記包装袋の内部で組み立てたとき、外周部の長さが前記包装袋の拡張したときの内周部の長さと同等の長さとなる包装用キャリアとを備え、
前記包装袋が底部にガゼット部を有するガゼット袋であり、前記包装用キャリアが、前記側部板の幅方向の先端に弱め線を形成し連接された差込板を有し、前記包装袋の前記ガゼット部を挟むシートとの間の隙間に、前記各底部板、各側部板及び前記各差込板を差し込んで前記包装袋に収容されており、前記包装袋の内部で組み立てたとき、拡張した前記包装袋に形成された前記ガゼット部の三角形となった部分に各差込板の先部角部が挟まるようにしてある
折り畳み包装体。
【発明の詳細な説明】
【技術分野】
【０００１】
本発明は、折り畳み包装体に関するものである。更に詳しくは、折り畳んだ状態から立体形状にすることができる飲料カップ等を保持する包装用キャリアが収容された形態の包装体を手早く簡単に形成することができ、使用前の保管時にも嵩張らない折り畳み包装体に関する。
【背景技術】
【０００２】
コンビニエンスストア等で提供されるカップ入りコーヒー、その他の飲料等の持ち帰りの際には、カップが傾いたり倒れたりして内容物がこぼれることがないように、プラスチック袋等の包装袋の中に、厚紙や薄手の段ボール等で形成した組立式の包装用キャリア(carrier)を入れ、その包装用キャリアの保持部分にカップを入れて保持し、持ち帰りができるようにしていた。
【０００３】
このような包装用キャリアとしては、例えば特許文献１に開示された「カップホルダー」がある。このカップホルダーは、紙製で、所定の形状に型抜きしたシートを組み立てて立体形状にする構造である。
【先行技術文献】
【特許文献】
【０００４】
【特許文献１】特開２００５−３２００２１号公報
【発明の概要】
【発明が解決しようとする課題】
【０００５】
しかしながら、上記従来のカップホルダーには、次のような課題があった。
すなわち、カップホルダーは、コンビニエンスストア等で持ち運び用の包装袋と組み合わせた包装体として使用されており、客の注文を受けてからカップホルダーを組み立て、立体形状にして包装袋に入れるようにしていた。しかし、これでは、包装作業とレジ打ち等の別のレジ作業とを並行して行う必要があり、作業効率が著しく悪かった。このため、特に忙しい時間帯では、お客を長く待たせてしまうことも多かった。
【０００６】
また、立体形状のカップホルダーの外寸は、広がった包装袋の寸法より僅かに小さい大きさとなっているが、包装袋の中に手早くスムーズに入れることが難しく、上記課題を助長していた。しかし、この課題の対策として包装袋を大きめにすると、包装袋の中でカップホルダーの収まりが悪くなって安定せず、見た目が悪い上に、保持されたカップが傾いたり倒れたりして内容物がこぼれるおそれがあった。
【０００７】
更に、他の方法として、あらかじめカップホルダーを組み立てて立体形状にしておいたり、立体形状にしたカップホルダーを包装袋に収容しておいたりして準備しておく方法もあるが、このようにして準備したものは立体化して嵩張るので、コンビニエンスストア等の狭い店舗内ではスペースに余裕がないこともあり、上記課題の対策として現実的とはいえなかった。
【０００８】
（本発明の目的）
本発明は、以上の点を鑑みて創案されたもので、折り畳んだ状態から立体形状にすることができる飲料カップ等を保持する包装用キャリアが収容された形態の包装体を手早く簡単に形成することができ、使用前の保管時にも嵩張らない折り畳み包装体を提供することを目的とする。
【課題を解決するための手段】
【０００９】
上記課題を解決するために本発明が講じた手段は次のとおりである。
（１）本発明は、長手方向の中央に弱め線があり、商品を入れて保持する保持穴を有する上部板と、該上部板の長手方向の両端に弱め線を形成し連接された側部板と、該側部板の長手方向の両端に弱め線を形成し連接されており、先端部同士を折り曲げ可能に接続する接続手段を有している底部板とを備える包装用キャリアである。
【００１０】
（２）本発明は、長手方向の中央に弱め線があり、商品を入れて保持する保持穴を有する上部板と、該上部板の長手方向の両端に弱め線を形成し連接された側部板と、該側部板の長手方向の両端に弱め線を形成し連接され、先端部同士が折り曲げ可能に連接されている底部板とを備える包装用キャリアである。
【００１１】
（３）本発明は、一枚のシートから切り出した成形シートで形成されている構成とすることもできる。
【００１２】
この場合は、包装用キャリアを製造する際に、成形シートを型抜きにより簡単に成形して切り出すことができるので、少ない工程で容易に作成することができる。
【００１３】
（４）本発明は、前記側部板の幅方向の先端に弱め線を形成し連接された差込板を備える構成としてもよい。
【００１４】
この場合は、底部にガゼット部を有する包装袋に収容する際、ガゼット部を挟むシートとの間の隙間に、各底部板、及び各側部板と共に差込板を差し込んで折り畳んだ状態で収容することができる。この状態から、包装袋の内部で包装用キャリアを組み立てることで、各差込板の先部角部を拡張した包装袋に形成されたガゼット部の三角形となった部分に挟むことができる。これにより、包装用キャリアがガゼット袋の内部でずれにくくなる。
【００１５】
（５）本発明は、開口部を有し平坦に折り畳まれた包装袋と、該包装袋に折り畳んだ状態で収容されており、長手方向の中央に弱め線があり、商品を入れて保持する保持穴を有する上部板と、該上部板の長手方向の両端に弱め線を形成し連接された側部板と、該側部板の長手方向の両端に弱め線を形成し連接されており、先端部同士を折り曲げ可能に接続する接続手段を有している底部板とを備える、前記包装袋の内部で組み立てたとき、外周部の長さが前記包装袋の拡張したときの内周部の長さと同等の長さとなる包装用キャリアとを備える折り畳み包装体である。
【００１６】
（６）本発明は、開口部を有し平坦に折り畳まれた包装袋と、該包装袋に折り畳んだ状態で収容されており、長手方向の中央に弱め線があり、商品を入れて保持する保持穴を有する上部板と、該上部板の長手方向の両端に弱め線を形成し連接された側部板と、該側部板の長手方向の両端に弱め線を形成し連接され、先端部同士が折り曲げ可能に連接されている底部板とを備える、前記包装袋の内部で組み立てたとき、外周部の長さが前記包装袋の拡張したときの内周部の長さと同等の長さとなる包装用キャリアとを備える折り畳み包装体である。
【００１７】
（７）本発明は、上記（５）、（６）の発明において、前記包装袋が底部にガゼット部を有するガゼット袋であり、前記包装用キャリアが、前記側部板の幅方向の先端に弱め線を形成し連接された差込板を有し、前記包装袋の前記ガゼット部を挟むシートとの間の隙間に、前記各底部板、各側部板及び前記各差込板を差し込んで前記包装袋に収容されており、前記包装袋の内部で組み立てたとき、拡張した前記包装袋に形成された前記ガゼット部の三角形となった部分に各差込板の先部角部が挟まるようにしてある構成としてもよい。
【００１８】
この場合は、包装用キャリアの、ガゼット部の両隙間に差し込まれている各差込板が弱め線で折れ曲がり、包装袋の底で先端をほぼ突き合わせた状態となる。そして、包装用キャリアの各底部板で底が形成され、各差込板の先部角部が、ガゼット部が折れ曲がって形成された三角形となった部分に挟まる。これにより、包装用キャリアがガゼット袋の内部でずれにくくなる。
【００１９】
底部板が有する、底部板の先端部同士を折り曲げ可能に接続する接続手段としては、例えば各底部板に互いに係合可能な係合片を設ける構造があげられるが、その形態は様々であり、特に限定するものではないが、成形シートの成形段階で、打ち抜き等で一緒に成形できる構造がより好ましい。
【００２０】
また、底部板の先端部同士が弱め線を形成し連接されているものは、すなわち各上部板、各側部板と共に全体がつながっている。このように、各板全体をつなげる構造としては、各板のうち、適宜選択した部分、又は境界部分を一部重ねる等して接着剤や両面テープ等で接着する構造、或いはステープラで止める構造等があげられるが、これらに限定はされない。
【００２１】
本明細書及び特許請求の範囲にいう「弱め線」とは、例えば厚さを薄く形成している部分、押圧して厚さを薄くしている部分、或いはいわゆるミシン目等、人の手による折り曲げ作業をしやすくした線をいう。
また、本明細書及び特許請求の範囲にいう「長手方向」、「幅方向」の用語は、必ずしも固定的な長短の意味を含みあらわすものではなく、相互の長短が逆転する場合は、もとの「長手方向」を「幅方向」、もとの「幅方向」を「長手方向」とあらわすこともできる。
【００２２】
本明細書及び特許請求の範囲にいう「シート」の用語は、例えば厚紙や段ボール等の紙材料、合成樹脂等で形成した二次元形状（平板又は平坦形状）のシートの他、ブランク（プレスで抜き加工した二次元形状の加工品素材、未完成紙片、又は半加工紙片等）及びウエブを含む概念で使用している。
【００２３】
本明細書及び特許請求の範囲にいう「組み立てる」の用語は、一つの構成体から各部の変形や係合等の操作を行って立体形状に作り上げる意味の他、複数の構成体の各部の変形や係合等の操作を行い、或いはそのような操作をすることなく、これらを組み合わせて立体形状に作り上げる意味を含むものである。
【００２４】
（作用）
本発明に係る包装用キャリアと折り畳み包装体の作用を説明する。
上記（１）及び（２）の包装用キャリアは、上部板、各側部板、及び各底部板がつながった状態で、適当な弱め線から折り曲げることで、折り畳むことができる。
また、包装用キャリアは、折り畳んだ状態から、山折りになっている弱め線部分を指で押すことにより、各板の成す角度を大きくして、簡単に立体形状に組み立てることができる。
【００２５】
なお、各底板が、先端部同士を折り曲げ可能に接続する接続手段を有する場合は、接着しなくても接続が可能であり、製造工程において、接着工程を必要としないので、製造工程を簡略化できる。
【００２６】
また、上記のように折り畳んだ包装用キャリアを、同じく折り畳んだ包装袋に収容して、折り畳み包装体を形成しておけば、個々の折り畳み包装体は平坦で嵩張らないので、例えば多数を積み重ねる等して効率良く保管しておくことが可能になる。
【００２７】
上記（５）又は（６）の折り畳み包装体を使用する際は、まず、包装袋の内部の包装用キャリアの各上部板間の弱め線部分を底方向へ押すと、各上部板が平坦になり、各側部板との間の弱め線で折れ曲がり、各上部板は全体が平板状になって各側部板の間隔が拡がる。これにより、包装用キャリアの幅が拡がり、包装用キャリアは立体形状となり、包装袋は各側部板に押されて拡張する。
【００２８】
また、包装用キャリアは包装袋の内部にほぼ密着するように収まる。これにより、包装用キャリアがガゼット袋内で安定するため、包装用キャリアにより保持又は収容される商品も安定する。更に、包装袋の内部で包装用キャリアを組み立てる際に、包装用キャリアが包装袋に対しタイトであるために、各弱め線での各壁の折れ曲がりが、より確実に行われるので、包装用キャリアを組み立てる作業がしやすい。
【００２９】
このように、飲料カップ等を保持する組み立てられた形状の包装用キャリアがガゼット袋の内部に収容された形態の包装体を手早く簡単に形成することができ、商品を包装袋で提げた状態で持ち運ぶことができるようになる。
【発明の効果】
【００３０】
本発明は、折り畳んだ状態から立体形状にすることができる飲料カップ等を保持する包装用キャリアが収容された形態の包装体を手早く簡単に形成することができ、使用前の保管時にも嵩張らない折り畳み包装体を提供することができる。
【図面の簡単な説明】
【００３１】
【図１】本発明に係る包装用キャリアの第１実施の形態を示す斜視図である。
【図２】図１に示す包装用キャリアの展開図である。
【図３】図１に示す包装用キャリアを折り畳んで包装袋に収容した折り畳み包装体を示す斜視説明図である。
【図４】図３におけるＡ―Ａ端面図である。
【図５】包装用キャリアを図３に示す状態から立体形状とした折り畳み包装体の使用状態を示す斜視説明図である。
【図６】本発明に係る包装用キャリアの第２実施の形態を示し、包装用キャリアを立体形状とした折り畳み包装体を示す斜視説明図である。
【図７】図６に示す包装用キャリアの展開図である。
【図８】本発明に係る包装用キャリアの第３実施の形態を示し、包装用キャリアを立体形状とした折り畳み包装体を示す斜視説明図である。
【図９】図８に示す包装用キャリアの展開図である。
【図１０】本発明に係る包装用キャリアの第４実施の形態を示し、包装用キャリアを立体形状とした折り畳み包装体を示す斜視説明図である。
【図１１】図１０に示す包装用キャリアの展開図である。
【発明を実施するための形態】
【００３２】
本発明を図面に示した実施の形態に基づき詳細に説明する。
図１ないし図５を参照する。
折り畳み包装体Ｐは、図３に示すように包装袋であるプラスチックフィルム製の平坦状に折り畳まれた包装袋であるガゼット袋１と、ガゼット袋１の内部に収容されている同じく畳まれた包装用キャリア２を備えている。
【００３３】
ガゼット袋１は、底部ガゼット型のガゼット袋であり、幅方向（使用時では上下方向）の一方側（上部側）にガゼット部を設けず、他方側（底部側）にガゼット部１０を有している。また、ガゼット袋１は、長手方向の両側端部を熱溶着した封止部１１、１２を有しており、ガゼット部１０とは反対側に二枚のシートを貫通して長円状の把持穴１３が形成されている。
なお、使用するガゼット袋の形状は、上記に限定されるものではなく、側部ガゼット型のガゼット袋、又はガゼット部がない包装袋の使用も可能である。更には、把持穴１３の代替として、紐状または帯状の取っ手を溶着したもの、或いは取っ手の下部に挟着部を有し、袋の上縁部を挟着して取り付けるもの等、他の構造の把持部を採用することもできる。
【００３４】
包装用キャリア２は、一枚の薄手の段ボールのシートを図２の展開図で示すように型抜きして形成された平坦な成形シート２０を組み立てて形成するものである。成形シート２０を立体形状に組み立てると、図１に示すような、二つの飲料カップを保持することができる箱状のキャリアになり、使用前には図３に示すように折り曲げられて畳まれている。以下、構造を説明する。
【００３５】
成形シート２０は、図２に示すように、中央から左右方向へ順に一対の上部板２１、２２、一対の長方形状の側部板２３、２４、一対の長方形状の底部板２５、２６、及び接続手段である係合片２７、２８を連接して形成されている。なお、上部板２１、２２の外形は、二枚合わせて長方形状である。
【００３６】
更に、側部板２３、２４のそれぞれの幅方向（図２で上下方向）の両側には、先端角部が丸められた差込板２３ａ、２３ｂ、及び２４ａ、２４ｂが形成されている。差込板２３ａ、２３ｂ、２４ａ、２４ｂのそれぞれの長さは、上部板２１、２２のそれぞれの長さと同じである。
【００３７】
包装用キャリア２には、上部板２１、２２の境界部に弱め線２０１が形成され、上部板２１と側部板２３の境界部に弱め線２０２が形成され、上部板２２と側部板２４の境界部に弱め線２０３が形成されている。また、側部板２３と底部板２５の境界部に弱め線２０４が形成され、側部板２４と底部板２６の境界部に弱め線２０５が形成されている。
【００３８】
また、側部板２３と差込板２３ａ、２３ｂの間の境界部に弱め線２０８ａ、２０８ｂが形成され、側部板２４と差込板２４ａ、２４ｂの間の境界部に弱め線２０９ａ、２０９ｂが形成されている。
【００３９】
上記係合片２７、２８は、底部板２５、２６より狭小であり、幅方向の長さは約二分の一である。係合片２７、２８は、図２に示すように互い違いの位置に設けられており、それぞれの内側先端部は、底部板２５、２６の幅方向のほぼ中央に位置し、半円形に形成された係合部２７０、２８０となっている。底部板２５と係合片２７の境界部に弱め線２０６が形成され、底部板２６と係合片２８の境界部に弱め線２０７が形成されている。
【００４０】
また、上部板２１から上部板２２にかけては、二箇所に飲料カップの保持部となるカップ保持穴２９、２９ａが形成されている。カップ保持穴２９、２９ａは、円形の縁部に多数のほぼ台形状の抑え片２９０を設けた形状であり、これら抑え片２９０が、収容される飲料カップに押されて下方へ曲がることにより、カップ保持穴２９、２９ａはほぼ円形になる。なお、前記弱め線２０１は、カップ保持穴２９、２９ａの間及び両側に断続的に位置している。
【００４１】
成形シート２０は、上記したように組み立てて包装用キャリア２となる。この組み立ては、次のように行われる。
まず、図２において、どちらにも曲げない弱め線２０６、２０７を除き、他のすべての弱め線を９０°の角度で山折りにする。そして、係合片２７、２８の係合部２７０、２８０を係合させ、図１に示すように立体形状とする。
【００４２】
包装用キャリア２をガゼット袋１へ収容する際は、図１に示す状態から折り畳まれる。すなわち、底部板２５、２６を弱め線２０４、２０５で上方向へ折り上げ、上部板２１、２２を弱め線２０１で折り曲げ、更に上部板２１、２２と側部板２３、２４の間の弱め線２０２、２０３の折りを伸ばし、側部板２３と差込板２３ａ、２３ｂの間の弱め線２０８ａ、２０８ｂの折りを伸ばし、側部板２４と差込板２４ａ、２４ｂの間の弱め線２０９ａ、２０９ｂの折りを伸ばして全体を折り畳む（図３参照）。
【００４３】
そして、折り畳んだ包装用キャリア２を、同じく折り畳んだガゼット袋１に収容し、折り畳み包装体Ｐを形成する。このとき、包装用キャリア２は、図３、図４に示すように、ガゼット袋１のガゼット部１０の厚み方向の両側に形成されている隙間１４、１５（図４参照）に、弱め線２０４、２０５で折り畳まれた側部板２３、差込板２３ａ、２３ｂ、及び底部板２５と、側部板２４、差込板２４ａ、２４ｂ、及び底部板２６がそれぞれ奥側端部まで差し込まれている。
【００４４】
なお、図３に示すように、包装用キャリア２を折り畳んだ状態の側部板２３、２４、差込板２３ａ、２３ｂ、及び差込板２４ａ、２４ｂを合わせた長さ（周りの長さ）は、膨らむよう拡張したときのガゼット袋１の内周の長さより若干短い長さに形成されている。これにより、後述する図５に示すように、立体形状となった包装用キャリア２は、拡張したガゼット袋１の内部にほぼ隙間なく丁度収まる。
【００４５】
（作用）
図１ないし図５を参照し、折り畳み包装体Ｐの作用を説明する。
折り畳み包装体Ｐは、折り畳み状態の包装用キャリア２が、同じく折り畳み状態のガゼット袋１に収容されているので、個々は平坦で嵩張らず、多数を積み重ねる等して効率良く保管しておくことができる。これにより、コンビニエンスストア等の狭い店舗内で収容スペースに余裕がない場合でも、無理なく準備しておくことができる。
【００４６】
折り畳み包装体Ｐを使用する際は、まず、ガゼット袋１内部の包装用キャリア２の各上部板２１、２２間の弱め線２０１部分を底方向へ押すと、各上部板２１、２２が各側部板２３、２４との間の弱め線２０２、２０３で折れ曲がり、上部板２１、２２の全体が平板状になる。これにより、包装用キャリア２の幅が拡がり、ガゼット袋１は互いの間隔が拡がる各側部板２３、２４に押されて拡張する。
【００４７】
また、これに伴い、包装用キャリア２の、各差込板２３ａ、２３ｂ、２４ａ、２４ｂがガゼット袋１の内面に押されて、各側部壁２３、２４との間の弱め線２０８ａ、２０８ｂ、２０９ａ、２０９ｂで内側へ折れ曲がる。これにより、相対向する差込板２３ａ、２３ｂと、差込板２４ａ、２４ｂは、ガゼット袋１の底部側で先端縁を互いにほぼ突き合わせた状態になり、更には、底部板２５、２６も平板状になって、包装用キャリア２が立体形状となる。
【００４８】
なお、上記のように拡張したガゼット袋１の側部にガゼット部１０が折れ曲がって形成された三角折れ部１００に、包装用キャリア２の差込板２３ａ、２３ｂ、及び差込板２４ａ、２４ｂの先部角部が挟まる。詳しくは、上記各差込板２３ａ、２３ｂ、２４ａ、２４ｂを隙間１４、１５に差し入れた状態が維持されて、各三角折れ部１００（図５では向こう側の各三角折れ部１００は見えない）とその外側のフィルムに挟まった状態になる。これにより、立体形状となった包装用キャリア２がガゼット袋１の内部で位置がずれにくい。
【００４９】
このように、立体形状となって飲料カップ３を保持するカップ保持穴２９、２９ａを有する包装用キャリア２がガゼット袋１の内部に収容された形態の、図５に示すような包装体（符号省略）を手早く簡単に形成することができ、飲料カップ３等の商品をガゼット袋１に収容した状態で持ち運ぶことができるようになる。
【００５０】
また、上記したように、立体形状となった包装用キャリア２は、拡張したガゼット袋１の内部にほぼ隙間なく丁度収まるので、包装用キャリア２がガゼット袋１内部で安定するため、包装用キャリア２により保持される飲料カップ３等の商品も安定する。
【００５１】
また、包装用キャリア２を立体に形成する際に、ガゼット袋１が包装用キャリア２に対しタイト、すなわちぴったりとしたサイズであるために、各弱め線での各板２１、２２、２３、２４、２５、２６、２３ａ、２３ｂ、２４ａ、２４ｂの折れ曲がりが、より確実に行われるので、包装用キャリア２を立体に形成する作業がしやすい。
【００５２】
図６、及び図７を参照する。
図６に示す包装用キャリア２ａを形成する成形シート２０ａは、次のような構成を有している。なお、成形シート２０ａには、上記成形シート２０と共通する部分があるため、以下の説明では、その共通する部分については図において同じ符号を付して説明を省略し、主に相違する部分について説明する。
【００５３】
また、折り畳んだガゼット袋１に、同じく折り畳んだ包装用キャリア２ａを収容した形態の折り畳み包装体については、実質的に上記図３に示す折り畳み包装体Ｐと同様であるので、図示を省略する。更に、上記共通部分の説明の省略と、折り畳み包装体の図示の省略については、後述する包装用キャリア２ｂ（図８、図９参照）、及び包装用キャリア２ｃ（図１０、図１１参照）も同様である。
【００５４】
包装用キャリア２ａは、本発明の包装用キャリアの第２実施の形態であり、成形シート２０ａと上記成形シート２０とは、底部板２５、２６を連接する構造、及び保持穴２９ｂ、２９ｃの構造が相違している。保持穴２９ｂ、２９ｃは、円形の縁部の四箇所に、縁部が円弧状の抑え片２９１を設けた形状である。抑え片２９１は、上記抑え片２９０と比較して、剛性がより高く、飲料カップの保持力に優れる。
【００５５】
成形シート２０ａには、一方側の底部板２６にのみ、長手方向の先端に糊代片２６０が形成されている。糊代片２６０は、境界部に弱め線２６１を形成して底部板２６に連接され、全幅にわたり設けられている。包装用キャリア２ａを立体形状に組み立てる際には、あらかじめ糊代片２６０と他方の底部板２５の端辺部を接着して、各上部板２１、２２、各側部板２３、２４、及び各底部板２５、２６がつながった形態としておくようにする（図６参照）。
【００５６】
そして、この状態から上記包装用キャリア２と同じように折り畳んだ状態とし、これをガゼット袋１に収容して、図３に示す折り畳み包装体Ａと同様の折り畳み包装体（図示省略）を形成し、更に、図６に示すように包装体１の内部で包装用キャリア２ａを立体形状に組み立てる。
【００５７】
なお、この折り畳み包装体、及び包装用キャリア２ａの作用は、各底部板２５、２６を接続する手間がかからない点を除き、上記折り畳み包装体Ａ、及び包装用キャリア２とほぼ同様であるので、詳しい説明は省略する。
【００５８】
図８、及び図９を参照する。
図９に示す包装用キャリア２ｂを形成する成形シート２０ｂは、次のような構成を有している。包装用キャリア２ｂは、本発明の包装用キャリアの第３実施の形態であり、成形シート２０ｂと上記成形シート２０ａとは、底部板２５、２６を連接する構造が相違している。
【００５９】
成形シート２０ｂでは、一方の底部板２６の長手方向の端部に、境界部に弱め線２６２を形成し他方の底部板２５が連接されている。そして、底部板２５の先端に糊代片２５０が形成されている。糊代片２５０は、境界部に弱め線２５１を形成して底部板２６に連接され、全幅にわたり設けられている。包装用キャリア２ｂを立体形状に組み立てる際には、あらかじめ糊代片２５０と一方の側部板２３の端辺部を接着して、各上部板２１、２２、各側部板２３、２４、及び各底部板２５、２６がつながった形態としておくようにする（図８参照）。
【００６０】
そして、この状態から上記包装用キャリア２と同じように折り畳んだ状態とし、これをガゼット袋１に収容して、図３に示す折り畳み包装体Ａと同様の折り畳み包装体（図示省略）を形成し、更に、図８に示すように包装体１の内部で包装用キャリア２ｂを立体形状に組み立てる。
なお、この折り畳み包装体、及び包装用キャリア２ｂの作用は、各底部板２５、２６を接続する手間がかからない点を除き、上記折り畳み包装体Ａ、及び包装用キャリア２とほぼ同様であるので、詳しい説明は省略する。
【００６１】
図１０、及び図１１を参照する。
図１１に示す包装用キャリア２ｃを形成する成形シート２０ｃは、次のような構成を有している。包装用キャリア２ｃは、本発明の包装用キャリアの第４実施の形態であり、成形シート２０ｃと上記成形シート２０とは、上部板２１ａ、２２ａ、及び底部板２５ａ、２６ａの大きさ、底部板２５ａ、２６ａを連接する構造、及び保持穴２９ｄ、２９ｅ、２９ｆ、２９ｇの数、及び構造が相違している。
【００６２】
保持穴２９ｄ、２９ｅ、２９ｆ、２９ｇは、円形の縁部の四箇所に、縁部が円弧状の抑え片２９１を設けた形状である。抑え片２９１は、上記抑え片２９０と比較して、剛性がより高く、飲料カップの保持力に優れる。
【００６３】
成形シート２０ｃに設けられた上部板２１ａ、２２ａは、長手方向の長さが上記上部板２１、２２の約二倍に設定されており、底部板２５ａ、２６ａは、長手方向の長さが上記底部板２５、２６の約二倍に設定されている。また、上記保持穴２９ｄ、２９ｅ、２９ｆ、２９ｇは、上部板２１ａと上部板２２ａにそれぞれ二個ずつに分けて形成されている。
【００６４】
成形シート２０ｃには、一方側の底部板２６ａにのみ、長手方向の先端に糊代片２６０が形成されている。糊代片２６０は、境界部に弱め線２６１を形成して底部板２６ａに連接され、全幅にわたり設けられている。包装用キャリア２ｃを立体形状に組み立てる際には、あらかじめ糊代片２６０と他方の底部板２５ａの端辺部を接着して、各上部板２１ａ、２２ａ、各側部板２３、２４、及び各底部板２５ａ、２６ａがつながった形態としておくようにする（図１０参照）。
【００６５】
そして、この状態から上記包装用キャリア２と同じように折り畳んだ状態とし、これを上記ガゼット袋１より周方向へ大きいガゼット袋１ａに収容して、図３に示す折り畳み包装体Ａと同様の折り畳み包装体（図示省略）を形成し、更に、図１０に示すようにガゼット袋１ａの内部で包装用キャリア２ｃを立体形状に組み立てる。
なお、この折り畳み包装体、及び包装用キャリア２ｃの作用は、各底部板２５ａ、２６ａを接続する手間がかからない点を除き、上記折り畳み包装体Ａ、及び包装用キャリア２とほぼ同様であるので、詳しい説明は省略する。
【００６６】
本明細書で使用している用語と表現は、あくまでも説明上のものであって、なんら限定的なものではなく、本明細書に記述された特徴およびその一部と等価の用語や表現を除外する意図はない。
【符号の説明】
【００６７】
Ｐ  折り畳み包装体
１  ガゼット袋
１０  ガゼット部
１００  三角折れ部
１１、１２  封止部
１３  把持穴
２  包装用キャリア
２０  成形シート
２１、２２  上部板
２０１  弱め線
２３、２４  側部板
２０２、２０３  弱め線
２５、２６  底部板
２０４、２０５  弱め線
２７、２８  係合片
２７０、２８０  係合部
２０６、２０７  弱め線
２３ａ、２３ｂ、２４ａ、２４ｂ  差込板
２０８ａ、２０８ｂ  弱め線
２０９ａ、２０９ｂ  弱め線
２９、２９ａ  カップ保持穴
２９０  抑え片
３  飲料カップ
２ａ  包装用キャリア
２０ａ  成形シート
２９ｂ、２９ｃ  保持穴
２９１  抑え片
２６０  糊代片
２６１  弱め線
２ｂ  包装用キャリア
２０ｂ  成形シート
２６２  弱め線
２５０  糊代片
２５１  弱め線
２ｃ  包装用キャリア
２０ｃ  成形シート
２１ａ、２２ａ  上部板
２５ａ、２６ａ  底部板
２９ｄ、２９ｅ、２９ｆ、２９ｇ  保持穴
１ａ  ガゼット袋
【図１】
0006320222.tif 000002
【図２】
0006320222.tif 000003
【図３】
0006320222.tif 000004
【図４】
0006320222.tif 000005
【図５】
0006320222.tif 000006
【図６】
0006320222.tif 000007
【図７】
0006320222.tif 000008
【図８】
0006320222.tif 000009
【図９】
0006320222.tif 000010
【図１０】
0006320222.tif 000011
【図１１】
0006320222.tif 000012